(57)【要約】【課題】消費エネルギーの目標値に応じて、接続機器の運転を区画ごとに制御する。【解決手段】  建物内の複数の区画のそれぞれの区画に設けられた接続機器の消費エネルギーを制御する省エネルギー装置であって、複数の区画における総消費エネルギーの目標値を記憶する目標値記憶部と、それぞれの区画の区画種別を記憶する区画種別記憶部と、複数の区画における総消費エネルギーの実測値を取得する実測値取得部と、実測値から目標値を引いて差分値を算出する差分値算出部と、それぞれの区画の接続機器を制御する手順を定めた複数のテンプレートを記憶するテンプレート記憶部と、区画種別及び差分値に基づいて、複数のテンプレートから接続機器の運転制御に用いる実行テンプレートを選定し、実行テンプレートに従って、複数の区画の接続機器の運転を制御する運転制御部とを備える省エネルギー装置を提供する。【選択図】図６
2014081668.tif 000002
【特許請求の範囲】
【請求項１】
建物内の複数の区画のそれぞれの区画に設けられた接続機器の消費エネルギーを制御する省エネルギー装置であって、
前記複数の区画における総消費エネルギーの目標値を記憶する目標値記憶部と、
前記それぞれの区画の区画種別を記憶する区画種別記憶部と、
前記複数の区画における総消費エネルギーの実測値を取得する実測値取得部と、
前記実測値から前記目標値を引いて差分値を算出する差分値算出部と、
前記それぞれの区画の前記接続機器を制御する手順を定めた複数のテンプレートを記憶するテンプレート記憶部と、
前記区画種別及び前記差分値に基づいて、前記複数のテンプレートから前記接続機器の運転制御に用いる実行テンプレートを選定し、前記実行テンプレートに従って、前記複数の区画の前記接続機器の運転を制御する運転制御部と
を備える省エネルギー装置。
【請求項２】
前記実測値取得部は、前記接続機器を制御する機器制御端末から前記実測値を取得し、
前記運転制御部は、前記実行テンプレートに従って前記機器制御端末に前記接続機器の運転を制御させる請求項１に記載の省エネルギー装置。
【請求項３】
前記区画種別記憶部は、前記それぞれの区画に対応づけて節電優先度を記憶し、
前記運転制御部は、前記差分値が予め定められた第１差分値よりも大きくなると、前記節電優先度に基づいて、前記実行テンプレートを再選定する請求項１又は２に記載の省エネルギー装置。
【請求項４】
前記運転制御部は、前記差分値が前記第１差分値よりも大きな第２差分値よりも大きくなると、第１の前記区画よりも前記節電優先度が低い第２の前記区画における消費エネルギーを低減するべく前記実行テンプレートを再選定する請求項３に記載の省エネルギー装置。
【請求項５】
前記それぞれの区画の予約時間を記憶する予約時間記憶部をさらに備え、
前記運転制御部は、前記予約時間にさらに基づいて、前記実行テンプレートを選定する請求項１から４のいずれか一項に記載の省エネルギー装置。
【請求項６】
前記運転制御部は、前記差分値が予め定められた第１差分値よりも大きい場合に、前記予約時間に基づいて、予約されていない区画における消費エネルギーを低減するべく前記実行テンプレートを再選定する請求項５に記載の省エネルギー装置。
【請求項７】
前記運転制御部は、前記差分値が前記第１差分値よりも大きな第２差分値よりも大きい場合に、予約されている区画における消費エネルギーを低減するべく前記実行テンプレートを再選定する請求項６に記載の省エネルギー装置。
【請求項８】
前記運転制御部は、前記予約されている区画の予約時間になると、前記予約されていない区画の接続機器の消費エネルギーを小さくするべく前記実行テンプレートを再選定する請求項６又は７に記載の省エネルギー装置。
【請求項９】
建物内の複数の区画のそれぞれの区画に設けられた接続機器の消費エネルギーを制御する省エネルギーシステムであって、
前記それぞれの区画の前記接続機器を制御する機器制御端末と、
前記機器制御端末に前記接続機器を制御させる手順を定めた複数のテンプレートを保持するサーバーと
を備え、
前記サーバーは、
前記複数の区画における目標値を記憶する目標値記憶部と、
前記それぞれの区画の区画種別を記憶する区画種別記憶部と、
前記複数の区画における実測値を前記機器制御端末から取得する実測値取得部と、
前記目標値から前記実測値を引いて差分値を算出する差分値算出部と、
前記それぞれの区画の前記接続機器を制御する手順を定めた複数のテンプレートを記憶するテンプレート記憶部と、
前記それぞれの区画ごとに、前記区画の区画種別及び前記差分値に基づいて、前記複数のテンプレートから前記区画内の前記接続機器の運転制御に用いる実行テンプレートを選定し、前記実行テンプレートに従って、前記機器制御端末に当該区画の接続機器の運転を制御させる運転制御部と
を備える省エネルギーシステム。
【請求項１０】
建物内の複数の区画のそれぞれの区画に設けられた接続機器の消費エネルギーを制御する省エネルギープログラムであって、
コンピュータに、
前記複数の区画における目標値を目標値記憶部に格納させ、
前記それぞれの区画種別を区画種別記憶部に格納させ、
前記複数の区画における実測値を取得させ、
前記目標値から前記実測値を減算して差分値を算出させ、
前記それぞれの区画の前記接続機器を制御する手順を定めた複数のテンプレートをテンプレート記憶部に格納させ、
前記それぞれの区画ごとに、前記区画の区画種別及び前記差分値に基づいて、前記複数のテンプレートから前記区画内の前記接続機器の運転制御に用いる実行テンプレートを選定させ、前記実行テンプレートに従って、当該区画の接続機器の運転を制御させる省エネルギープログラム。
【発明の詳細な説明】
【技術分野】
【０００１】
本発明は、省エネルギー装置、省エネルギーシステム及び省エネルギープログラムに関する。
【背景技術】
【０００２】
最近の多くのビルディングには、ビルディング内の空調機器及び照明機器を始めとする接続機器の運転を制御するＢＡＳ（ビル・オートメーション・システム）又はＢＥＭＳ（ビル・エネルギー・マネージメント・システム）が導入されている。これらのシステムは、施設内の装置における消費エネルギーの目標値に応じて消費エネルギーを減少させるように制御する（特許文献１及び特許文献２を参照）。
【特許文献１】特開２００４−１７０３１０号公報
【特許文献２】特開２００５−２６１０５０号公報
【発明の概要】
【発明が解決しようとする課題】
【０００３】
しかしながら、ビル内には複数の区画が存在する。それぞれの区画は、異なる用途又は態様で用いられるので、全ての区画における接続機器が一律に制御されると、それぞれの区画の種別に適した温度又は照度になるように接続機器を制御することができない。特に、複数の異なる区画がある場合に、それぞれの区画の種別が異なるにもかかわらず、消費エネルギーの目標値と消費エネルギーの計測値との差に基づいて、全ての区画を一律に制御すると、必要以上に消費エネルギーが抑制されて快適性が損なわれる区画が生じる。逆に、全ての区画の快適性を一律に向上させると、消費エネルギーを十分に低減することができない。
【課題を解決するための手段】
【０００４】
上記課題を解決するために、本発明の第１の態様においては、建物内の複数の区画のそれぞれの区画に設けられた接続機器の消費エネルギーを制御する省エネルギー装置であって、複数の区画における総消費エネルギーの目標値を記憶する目標値記憶部と、それぞれの区画の区画種別を記憶する区画種別記憶部と、複数の区画における総消費エネルギーの実測値を取得する実測値取得部と、実測値から目標値を引いて差分値を算出する差分値算出部と、それぞれの区画の接続機器を制御する手順を定めた複数のテンプレートを記憶するテンプレート記憶部と、区画種別及び差分値に基づいて、複数のテンプレートから接続機器の運転制御に用いる実行テンプレートを選定し、実行テンプレートに従って、複数の区画の接続機器の運転を制御する運転制御部とを備える省エネルギー装置を提供する。
【０００５】
省エネルギー装置が上記の構成を有することにより、消費エネルギーの目標値に対して実測値が大きい場合には、複数の区画の種別に応じて、それぞれの区画内の接続機器の運転を制御することができる。したがって、快適性を確保する必要性が低い区画の消費エネルギーを重点的に削減できるので、建物内の全ての区画の快適性を適切に確保しつつ、建物全体の消費エネルギーを抑制することができる。
【０００６】
一例として、実測値取得部は、接続機器を制御する機器制御端末から実測値を取得し、運転制御部は、実行テンプレートに従って機器制御端末に接続機器の運転を制御させる。区画種別記憶部は、それぞれの区画に対応づけて節電優先度を記憶し、運転制御部は、差分値が予め定められた第１差分値よりも大きくなると、節電優先度に基づいて、実行テンプレートを再選定してもよい。
【０００７】
運転制御部は、差分値が第１差分値よりも大きな第２差分値よりも大きくなると、第１の区画よりも節電優先度が低い第２の区画における消費エネルギーを低減するべく実行テンプレートを再選定してもよい。
【０００８】
それぞれの区画の予約時間を記憶する予約時間記憶部をさらに備え、運転制御部は、予約時間にさらに基づいて、実行テンプレートを選定してもよい。例えば、運転制御部は、差分値が予め定められた第１差分値よりも大きい場合に、予約時間に基づいて、予約されていない区画における消費エネルギーを低減するべく実行テンプレートを再選定する。
【０００９】
運転制御部は、差分値が第１差分値よりも大きな第２差分値よりも大きい場合に、予約されている区画における消費エネルギーを低減するべく実行テンプレートを再選定してもよい。運転制御部は、予約されている区画の予約時間になると、予約されていない区画の接続機器の消費エネルギーを小さくするべく実行テンプレートを再選定してもよい。
【００１０】
本発明の第２の態様によれば、建物内の複数の区画のそれぞれの区画に設けられた接続機器の消費エネルギーを制御する省エネルギーシステムであって、それぞれの区画の接続機器を制御する機器制御端末と、機器制御端末に接続機器を制御させる手順を定めた複数のテンプレートを保持するサーバーとを備え、サーバーは、複数の区画における目標値を記憶する目標値記憶部と、それぞれの区画の区画種別を記憶する区画種別記憶部と、複数の区画における実測値を機器制御端末から取得する実測値取得部と、目標値から実測値を引いて差分値を算出する差分値算出部と、それぞれの区画の接続機器を制御する手順を定めた複数のテンプレートを記憶するテンプレート記憶部と、それぞれの区画ごとに、区画の区画種別及び差分値に基づいて、複数のテンプレートから区画内の接続機器の運転制御に用いる実行テンプレートを選定し、実行テンプレートに従って、機器制御端末に当該区画の接続機器の運転を制御させる運転制御部とを備える省エネルギーシステムを提供する。
【００１１】
本発明の第３の態様によれば、建物内の複数の区画のそれぞれの区画に設けられた接続機器の消費エネルギーを制御する省エネルギープログラムであって、コンピュータに、複数の区画における目標値を目標値記憶部に格納させ、それぞれの区画種別を区画種別記憶部に格納させ、複数の区画における実測値を取得させ、目標値から実測値を減算して差分値を算出させ、それぞれの区画の接続機器を制御する手順を定めた複数のテンプレートをテンプレート記憶部に格納させ、それぞれの区画ごとに、区画の区画種別及び差分値に基づいて、複数のテンプレートから区画内の接続機器の運転制御に用いる実行テンプレートを選定させ、実行テンプレートに従って、当該区画の接続機器の運転を制御させる省エネルギープログラムを提供する。
【００１２】
なお、上記の発明の概要は、本発明の必要な特徴の全てを列挙したものではない。また、これらの特徴群のサブコンビネーションもまた、発明となりうる。
【図面の簡単な説明】
【００１３】
【図１】図１は、本発明の一実施形態に係る省エネルギー装置１００及び省エネルギーシステム１０００の構成例を示す。
【図２】本発明の一実施形態に係る区画４００の構成例を示す。
【図３Ａ】それぞれの区画４００の予約時間に応じて選定される複数のテンプレートの一例を示す。
【図３Ｂ】それぞれの区画４００の予約時間に応じて選定される複数のテンプレートの一例を示す。
【図４】区画４００の予約時間に応じたテンプレートの選定例を示す。
【図５】他の実施形態に係る省エネルギー装置１００及び省エネルギーシステム１０００の構成例を示す。
【図６】他の実施形態に係る省エネルギー装置１００及び省エネルギーシステム１０００の構成例を示す。
【図７】他の実施形態に係る省エネルギー装置１００及び省エネルギーシステム１０００の構成例を示す。
【図８】他の実施形態に係る省エネルギー装置１００及び省エネルギーシステム１０００の構成例を示す。
【図９】他の実施形態に係る省エネルギー装置１００及び省エネルギーシステム１０００の構成例を示す。
【図１０】他の実施形態に係る省エネルギー装置１００及び省エネルギーシステム１０００の構成例を示す。
【図１１】他の実施形態に係る省エネルギー装置１００及び省エネルギーシステム１０００の構成例を示す。
【図１２】他の実施形態に係る省エネルギー装置１００の構成例を示す。
【図１３】他の実施形態に係る省エネルギー装置１００及び省エネルギーシステム１０００の構成例を示す。
【図１４】他の実施形態に係る省エネルギー装置１００を構成するコンピュータ７００のハードウェア構成の一例を示す。
【図１５】本実施形態に係る省エネルギープログラムをＣＰＵ５００が実行する場合のフローチャートの一例を示す。
【発明を実施するための形態】
【００１４】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１５】
図１は、本発明の一実施形態に係る省エネルギー装置１００及び省エネルギーシステム１０００の構成例を示す。図２は、本発明の一実施形態に係る区画４００の構成例を示す。
【００１６】
省エネルギーシステム１０００は、省エネルギー装置１００及び機器制御端末３００を備える。省エネルギー装置１００は、ネットワーク２００及び機器制御端末３００を介して、区画４００内の接続機器４１０を制御する。省エネルギー装置１００は、機器制御端末３００を介することなく区画４００内の接続機器４１０を制御してもよい。ネットワーク２００は、データを送受信する通信ネットワークであり、例えばインターネットである。
【００１７】
図２に示されるように、区画４００は、複数の接続機器４１０を有する。接続機器４１０は、建物のエネルギー供給系統に接続されている機器である。例えば、接続機器４１０は、電気系統に接続されている空調機器４１２、照明機器４１４及びセンサ４１６である。接続機器４１０は、コンピュータ機器又はネットワーク機器であってもよい。接続機器４１０は、ガス系統に接続されている機器であってもよい。
【００１８】
区画４００は、接続機器４１０の消費電力を計測する電力計測器４２０を有してもよい。電力計測器４２０は、例えば、空調機器４１２、照明機器４１４及びセンサ４１６のそれぞれが消費する電力を計測し、計測した電力の合計値を機器制御端末３００を介して省エネルギー装置１００に通知する。電力計測器４２０は、空調機器４１２、照明機器４１４及びセンサ４１６のそれぞれが消費する電力の値を省エネルギー装置１００に通知してもよい。
【００１９】
機器制御端末３００は、区画４００内の接続機器４１０に接続されている。機器制御端末３００は、複数の接続機器４１０と有線通信回線又は無線通信回線により接続されてよい。機器制御端末３００は、有線通信回線又は無線通信回線を介して、接続機器４１０との間でデータを送受信する。例えば、機器制御端末３００は、省エネルギー装置１００から受けたデータに基づいて、接続機器４１０を制御するデータを接続機器４１０に送信する。機器制御端末３００は、接続機器４１０の状態を示すデータを接続機器４１０から受信して、省エネルギー装置１００に送信してもよい。
【００２０】
省エネルギーシステム１０００は、操作端末３１０を備えてもよい。操作端末３１０は、ネットワーク２００を介して省エネルギー装置１００との間でデータを送受信することにより、省エネルギー装置１００に設定データを登録する。操作端末３１０は、区画４００の予約時間を含む予約情報を省エネルギー装置１００に送信してもよい。操作端末３１０は、データを入力する操作部、及び、データを表示する表示部を有する。操作端末３１０は、例えばパーソナルコンピュータである。
【００２１】
省エネルギー装置１００は、建物内の複数の区画４００（区画４００−１、区画４００−２及び区画４００−３）のそれぞれに設けられた接続機器４１０の消費エネルギーを制御する。区画４００は、例えば、空気の対流を遮断する壁又はパーティションにより囲まれた領域である。区画４００は、一例として、居室、会議室、応接室及び玄関ホールである。
【００２２】
省エネルギー装置１００は、任意の数の区画４００を制御してよい。例えば、省エネルギー装置１００は、１個の区画４００を制御してもよく、ｋ個の区画を制御してもよい。ただし、ｋは２以上の整数である。
【００２３】
省エネルギー装置１００は、運転制御部１１０、テンプレート記憶部１１２、予約時間記憶部１１４及び送受信部１１６を有する。テンプレート記憶部１１２は、それぞれの区画４００の接続機器４１０を制御する手順を定めた複数のテンプレートを記憶する。テンプレートは、例えば、接続機器４１０の動作を開始するタイミング、接続機器４１０の動作を停止するタイミング及び接続機器４１０の動作モードを定義するプログラムである。テンプレートは、接続機器４１０の動作を開始するタイミング、接続機器４１０の動作を停止するタイミング及び接続機器４１０の動作モードを定義する数値群であってもよい。
【００２４】
テンプレート記憶部１１２は、例えば、複数の区画４００における複数の接続機器４１０を制御する手順を定めたテンプレートを記憶する。テンプレート記憶部１１２は、それぞれの区画４００内の接続機器４１０を制御する手順を定めたテンプレートを、それぞれの区画４００に対応づけて記憶してもよい。
【００２５】
テンプレート記憶部１１２は、区画４００の種別に応じて異なるパターンで接続機器４１０を制御する複数の異なるテンプレートを記憶してもよい。一例として、テンプレート記憶部１１２は、区画４００−１における照明機器４１４を全て点灯し、かつ、区画４００−２における照明機器４１４を半分だけ点灯するというテンプレートを記憶する。テンプレート記憶部１１２は、区画４００−１における空調機器４１２を常時運転し、かつ、区画４００−２における空調機器４１２を間欠運転するというテンプレートを記憶してもよい。
【００２６】
テンプレート記憶部１１２は、複数の区画４００における接続機器４１０の動作モードがそれぞれ異なる複数のテンプレートを記憶してもよい。例えば、テンプレート記憶部１１２は、区画４００−１においては空調機器４１２の冷房機能を間欠運転し、かつ、照明機器４１４の照度を低下させることにより節電量を大きくする「ハード省エネルギーモード」を使用し、区画４００−２においては、空調機器４１２の冷房機能を常時運転することにより、「ハード省エネルギーモード」よりは節電量が小さな「ソフト省エネルギーモード」を使用するテンプレートを記憶する。当該テンプレートは、区画４００−１を社員のみが使用し、区画４００−２を社員及び来客が使用する場合に適している。
【００２７】
テンプレート記憶部１１２は、複数の区画４００を使用する業種、業態又はワークスタイルに応じて異なるパターンで接続機器４１０を制御する複数の異なるテンプレートを記憶してもよい。例えば、テンプレート記憶部１１２は、照度よりも温度を優先する制御パターンを有するコンピュータ室用テンプレートと、温度よりも照度を優先する制御パターンを有する事務所系テンプレートと、温度及び照度のバランスを優先する店舗用テンプレートとを記憶する。
【００２８】
テンプレート記憶部１１２は、季節に応じて異なる種類のテンプレートを記憶してもよい。例えば、テンプレート記憶部１１２は、空調機器４１２の冷房機能を使用する夏用のテンプレートと、空調機器４１２の暖房機能を使用する冬用のテンプレートとを記憶する。
【００２９】
予約時間記憶部１１４は、それぞれの区画４００の予約時間を記憶する。例えば、予約時間記憶部１１４は、区画４００に対応づけて、区画４００の使用が開始される予定の時刻、及び、区画４００の使用が終了する予定の時刻を記憶する。運転制御部１１０は、予約時間に基づいて、接続機器４１０の運転制御に用いる実行テンプレートを複数のテンプレートから選定する。運転制御部１１０は、実行テンプレートに従ってそれぞれの区画４００の接続機器４１０の運転を制御する。
【００３０】
例えば、運転制御部１１０は、区画４００の使用開始予定時刻及び使用終了予定時刻ごとに、実行テンプレートを変更する。運転制御部１１０は、予定時刻よりも予め定められた時間だけ早く又は遅く実行テンプレートを変更してもよい。一例として、運転制御部１１０は、区画４００の使用開始予定時刻に対して、接続機器４１０の動作により区画４００の室内温度が安定するまでの時間だけ早く、実行テンプレートを変更する。
【００３１】
予約時間記憶部１１４は、区画４００の用途を示す用途情報をさらに記憶してもよい。例えば、予約時間記憶部１１４は、区画４００が、来客を伴う会議に使用される応接室であるのか、来客を伴わない会議に使用される会議室であるのかを示す用途情報を、予約時間に対応づけて記憶する。運転制御部１１０は、予約時間及び用途情報に基づいて選定した実行テンプレートに従って、区画４００における接続機器４１０の運転を制御してもよい。
【００３２】
図３Ａ及び図３Ｂは、それぞれの区画４００の予約時間に応じて選定される複数のテンプレートの一例を示す。図３Ａは、会議室Ａ、会議室Ｃ及び応接室Ａが予約されている時間において運転制御部１１０が選定するテンプレートの一例である。図３Ｂは、会議室Ｃ、応接室Ａ及び応接室Ｂが予約されている時間において運転制御部１１０が選定するテンプレートの一例である。
【００３３】
運転制御部１１０は、会議室Ｂ及び応接室Ｂが予約されていない時間においては、会議室Ｂ及び応接室Ｂにおける接続機器４１０を「デフォルトモード」で運転させる。「デフォルトモード」において、運転制御部１１０は、例えば、空調機器４１２及び照明機器４１４の運転を停止する。
【００３４】
運転制御部１１０は、会議室Ａ及び会議室Ｃが予約されている時間においては、会議室Ａ及び会議室Ｃにおける接続機器４１０を「ハード省エネルギーモード」で運転させる。運転制御部１１０は、応接室Ａが予約されている時間においては、応接室Ａにおける接続機器４１０を、「ハード省エネルギーモード」よりも消費エネルギーが大きく、冷房力又は暖房力が大きい「ソフト省エネルギーモード」で運転させる。
【００３５】
このように、運転制御部１１０は、区画４００の予約時間に応じて選定された図３Ａ及び図３Ｂに示されるテンプレートでそれぞれの区画４００の接続機器４１０を制御する。したがって、会議室等の予約状況に応じて、それぞれの区画４００の消費エネルギーを制御できるので、使用される区画４００の快適性を維持しつつ、建物全体の消費エネルギーを抑制することができる。
【００３６】
また、運転制御部は、さらに区画４００の用途に応じて選定されたテンプレートでそれぞれの区画４００の接続機器４１０を制御する。したがって、来客を伴う会議が行われる応接室Ａにおいて、来客を伴わない会議が行われる会議室Ａ及び会議室Ｃに比べて快適な環境を維持しつつ、建物全体としての消費エネルギーを抑制することができる。
【００３７】
図４は、複数の区画４００の予約時間に応じたテンプレートの選定例を示す。運転制御部１１０は、区画４００の予約時間及び用途に応じて異なる動作モードを有するテンプレートを選定して、接続機器４１０の運転を制御する。例えば、運転制御部１１０は、１０時から１１時の間において、社内会議に用いられる会議室Ａ（区画４００−１）を「ハード省エネルギーモード」で運転し、来客を伴う会議に用いられる会議室Ｂ（区画４００−２）を「ソフト省エネルギーモード」で運転する。
【００３８】
運転制御部１１０が「ソフト省エネルギーモード」に対応する第１のテンプレートを選定した場合、運転制御部１１０は、一例として以下の手順で空調機器４１２の運転を制御する。
（１）運転制御部１１０は、区画４００の予約開始時間の１０分前に、空調機器４１２の運転を開始する。
（２）運転制御部１１０は、区画４００の予約開始時間の１５分後の時点で、空調機器４１２の動作モードを「送風」に変更する。
（３）運転制御部１１０は、区画４００の予約開始時間の３０分後の時点で、空調機器４１２の動作モードを「冷房」に変更する。
（４）運転制御部１１０は、区画４００の予約開始時間の４５分後の時点で、空調機器４１２の動作モードを「送風」に変更する。
（６）運転制御部１１０は、区画４００の予約終了時間になると、空調機器４１２の運転を停止する。
【００３９】
運転制御部１１０が「ハード省エネルギーモード」に対応する第２のテンプレートを選定した場合、運転制御部１１０は、一例として以下の手順で空調機器４１２の運転を制御する。
（１）運転制御部１１０は、区画４００の予約開始時間に、空調機器４１２の運転を開始する。
（２）運転制御部１１０は、区画４００の予約開始時間の１０分後の時点で、空調機器４１２の動作モードを「送風」に変更する。
（３）運転制御部１１０は、区画４００の予約開始時間の３０分後の時点で、空調機器４１２の動作モードを「冷房」に変更する。
（４）運転制御部１１０は、区画４００の予約開始時間の４０分後の時点で、空調機器４１２の動作モードを「送風」に変更する。
（５）運転制御部１１０は、区画４００の予約終了時間の１０分前になると、空調機器４１２の運転を停止する。
【００４０】
運転制御部１１０は、複数の区画４００の予約状況に基づいてテンプレートを選定してもよい。例えば、会議室Ｂは、１０時から１１時までの間、及び、１４時から１６時までの間に、来客を伴う会議に用いるために予約されている。運転制御部１１０は、会議室Ａの予約状況に基づいて、１０時から１１時までの間の会議室Ｂの動作モードと、１４時から１５時までの間の動作モードとを異なる動作モードにしてよい。
【００４１】
具体的には、運転制御部１１０は、会議室Ａを「ハード省エネルギーモード」で動作させる１０時から１１時までの間においては、会議室Ｂを「ソフト省エネルギーモード」で動作させる。これに対して、運転制御部１１０は、会議室Ａが「ソフト省エネルギーモード」で使用される１４時から１５時までの間においては、複数の会議室において「ソフト省エネルギーモード」を使用することによる消費エネルギーの増加を防ぐべく、会議室Ｂを「ハード省エネルギーモード」で動作させる。以上のとおり、運転制御部１１０が、予約時間及び用途に応じて最適なテンプレートを選定することにより、用途に適した動作モードで動作させるとともに、消費エネルギーを低減することができる。
【００４２】
図５は、他の実施形態に係る省エネルギー装置１００及び省エネルギーシステム１０００の構成例を示す。図５における省エネルギー装置１００は、図１に示した省エネルギー装置１００に対して、状態取得部１１８をさらに有する。状態取得部１１８は、接続機器４１０が接続された機器制御端末３００から、それぞれの区画４００の状態を示す区画状態信号を取得する。例えば、状態取得部１１８は、機器制御端末３００を介して、区画４００に設けられたセンサ４１６から、区画４００における人の存在の有無を示す在室状態信号、区画４００の温度を示す温度情報信号、及び、区画４００の照度を示す照度信号のいずれかを取得する。センサ４１６は、例えば、人感センサ、温度センサ及び照度センサである。
【００４３】
運転制御部１１０は、予約時間及び区画状態信号に基づいて、実行テンプレートを選定し、選定した実行テンプレートに従って、機器制御端末３００に接続機器４１０の運転を制御させてよい。運転制御部１１０は、在室状態信号、温度情報信号、及び、照度信号の少なくとも一つの変化に応じて、実行テンプレートを再選定させてもよい。
【００４４】
例えば、運転制御部１１０は、区画４００が予約されている時間において、人が不在であることを区画状態信号が示している場合には、区画４００における消費エネルギーを小さくする動作モードに対応するテンプレートを再選定する。運転制御部１１０は、区画４００が予約されている時間において人が不在である場合には、区画４００が予約されていない時間における動作モードよりは、消費エネルギーが大きい動作モードで動作してもよい。運転制御部１１０がこのように動作することにより、一時的に人が不在になっただけである場合に、室内温度の急激な変化を防ぐことができる。
【００４５】
運転制御部１１０は、区画４００の温度が予め設定した温度を越えた場合に、動作モードを変更するべくテンプレートを再選定してもよい。例えば、運転制御部１１０は、区画４００−１を「ハード省エネルギーモード」で動作させていたところ、室内温度が２８℃を越えた場合に、区画４００−１を「ソフト省エネルギーモード」で動作させるテンプレートに変更して、室内温度を２８℃以下に低下させる。同様に、運転制御部１１０は、区画４００−１を「ハード省エネルギーモード」で動作させていたところ、夕方になって室内照度が低下した場合に、区画４００−１を「ソフト省エネルギーモード」で動作させるテンプレートに変更することで、室内照度を増大させてよい。
【００４６】
状態取得部１１８が、区画４００における人の存在の有無を示す在室状態信号を取得する場合において、運転制御部１１０は、区画４００の予約開始時刻から予め定められた時間を経過しても在室状態信号が変化しない場合には、機器制御端末３００に接続機器４１０の運転を停止させるとともに、予め定められたアドレスに電子メールを送信してもよい。運転制御部１１０は、送信した電子メールに対して返信されたメールの内容に基づいて、実行テンプレートを再選定してもよい。例えば、運転制御部１１０は、区画４００の予約をキャンセルすることが返信メールに示されている場合には、区画４００における消費エネルギーを低減することができるテンプレートに変更する。
【００４７】
運転制御部１１０は、電子メールを送信してから予め定められた時間が経過した後に、実行テンプレートを再選定することにより、区画４００における消費エネルギーを低減させてもよい。運転制御部１１０がこのように接続機器４１０の運転を制御することにより、区画４００の使用開始時間が遅れているに過ぎない場合に、接続機器４１０をすぐに停止しないで区画４００を適切な環境に維持するとともに、区画４００の使用が中止されている場合に無駄なエネルギーを消費し続けることを防止できる。
【００４８】
運転制御部１１０は、在室状態信号の変化に応じて、予め定められたアドレスに電子メールを送信してもよい。運転制御部１１０は、在室状態信号の変化により、区画４００に人が入ってきたことを検知すると、予約情報記憶部１１４から区画４００の予約情報を取得してもよい。運転制御部１１０は、区画４００が予約されていないにもかかわらず人を検知した場合には、予め定められたアドレスに電子メールを送信してもよい。
【００４９】
運転制御部１１０は、実行テンプレートに従って、区画４００が予約されている時間の開始前に当該区画４００における接続機器４１０の運転を開始する。例えば、運転制御部１１０は、区画４００が予約されている時間の１０分前に、空調機器４１２の運転を開始することにより、予約開始時間において、区画４００を快適な環境にすることができる。
【００５０】
運転制御部１１０は、区画４００の用途種別に応じた時間だけ予約開始時間よりも早く、接続機器４１０の運転を開始してもよい。例えば、運転制御部１１０は、来客を伴う会議で使用される区画４００−１は、予約開始時間の１０分前に空調機器４１２の運転を開始し、かつ、来客を伴わない会議で使用される区画４００−２は、予約開始時間と同時に空調機器４１２の運転を開始してもよい。運転制御部１１０がこのように制御することにより、区画４００の用途及び予約時間に応じて、区画４００に適した環境を提供しつつ、消費エネルギーを低減することができる。
【００５１】
運転制御部１１０は、接続機器４１０のそれぞれを異なるタイミングで制御してもよい。一例として、運転制御部１１０は、区画４００が予約されている時間の開始前に空調機器４１２の運転を開始し、運転制御部１１０は、空調機器４１２の運転が開始した後に、照明機器４１４の運転を開始する。具体的には、運転制御部１１０は、動作が開始してから効果が生じるまでの時間が長い空調機器４１２の運転を、予約開始時間の１０分前に開始し、かつ、動作が開始してから効果が生じるまでの時間が空調機器４１２よりも短い照明機器４１４の運転を、予約開始時間と同時に開始してもよい。運転制御部１１０は、区画４００に人が入ってきたことを検出した時点で照明機器４１４の運転を開始してもよい。
【００５２】
運転制御部１１０は、実行テンプレートに従って、区画４００が予約されている時間が終了した後に接続機器４１０の運転を停止する。運転制御部１１０は、区画４００が予約されている時間が終了した後に、区画４００に人が残っているか否かに応じて、接続機器４１０の運転を停止するか否かを判断してもよい。
【００５３】
運転制御部１１０は、区画４００が予約されている時間の次の予約時間に応じて、接続機器４１０の運転を停止するか否かを判断してもよい。例えば、運転制御部１１０は、区画４００が予約されている時間が終了してから、接続機器４１０の起動に要する時間以内に次の予約がされている場合には、接続機器４１０の運転を継続する。
【００５４】
運転制御部１１０は、区画４００を有する建物のいずれかの場所における温度にさらに基づいて、実行テンプレートを選定してもよい。例えば、運転制御部１１０は、気温が３５℃を上回る場合には、気温が３５℃以下の場合よりも冷房能力が高いテンプレートを選定する。
【００５５】
運転制御部１１０は、区画４００を有する建物のいずれかの場所における温度にさらに基づいて、実行テンプレートを再選定するタイミングを変化させてもよい。例えば、運転制御部１１０は、気温が３５℃を上回る場合には、気温が３５℃以下の場合よりも早く実行テンプレートを再選定する。具体的には、運転制御部１１０は、気温が予め定められた温度よりも高い場合に、予約開始時間に対して、より早く空調機器４１２の運転を開始する。
【００５６】
図６は、他の実施形態に係る省エネルギー装置１００及び省エネルギーシステム１０００の構成例を示す。図６における省エネルギー装置１００は、図１に示した省エネルギー装置１００における予約時間記憶部１１４に代えて、目標値記憶部１３０、区画種別記憶部１３２、実測値取得部１３４及び差分値算出部１３６を有する。
【００５７】
目標値記憶部１３０は、複数の区画４００における総消費エネルギーの目標値を記憶する。例えば、図６に示されるように、建物内に区画４００−１、区画４００−２及び区画４００−３がある場合には、目標値記憶部１３０は、区画４００−１、区画４００−２及び区画４００−３のそれぞれの区画における接続機器４１０の瞬時消費電力のの合計値の目標値を記憶する。
【００５８】
一例として、目標値記憶部１３０は、操作端末３１０において入力された総消費エネルギーの目標値を受けて記憶する。目標値記憶部１３０は、省エネルギー装置１００で入力された総消費エネルギーの目標値を受けてもよい。目標値記憶部１３０は、例えば日時に対応づけて、予め総消費エネルギーの目標値を記憶していてもよい。目標値記憶部１３０は、エネルギーを供給する業者から受けた総消費エネルギーの目標値を記憶してもよい。
【００５９】
区画種別記憶部１３２は、それぞれの区画４００の区画種別を記憶する。区画種別とは、区画の用途、区画の面積、区画の使用者、区画の場所及び区画の使用時間など、区画を特徴づける要素である。一例として、区画種別記憶部１３２は、目標値記憶部１３０において入力された区画種別を受けて記憶する。具体的には、目標値記憶部１３０において、省エネルギーシステム１０００の使用者が、それぞれの区画４００に対応づけて区画の用途を入力する。例えば、操作端末３１０は、区画４００−１は会議室、区画４００−２は応接室、区画４００−３は居室であることを示す区画種別の入力を受ける。
【００６０】
区画種別記憶部１３２は、それぞれの区画４００に対応づけて節電優先度を記憶してもよい。例えば、区画４００−１が社員専用の会議室であり、区画４００−２が来客用の応接室である場合に、区画種別記憶部１３２は、区画４００−１の節電優先度を区画４００−２の節電優先度を高いものとして記憶する。具体的には、区画種別記憶部１３２は、区画４００−１に対応づけて、第１の節電優先度に対応する値を記憶し、区画４００−２に対応づけて、第１の節電優先度よりも低い節電優先度を示す第２の節電優先度に対応する値を記憶してよい。
【００６１】
実測値取得部１３４は、複数の区画４００における総消費エネルギーの実測値を取得する。具体的には、実測値取得部１３４は、図２に示した電力計測器４２０により計測された消費エネルギーを機器制御端末３００及びネットワーク２００を経由して取得する。実測値取得部１３４は、電力計測器４２０により計測された消費エネルギーを電力計測器４２０から直接取得してもよい。
【００６２】
機器制御端末３００は、それぞれの区画４００に設けられた電力計測器４２０により計測された消費エネルギーを合算し、合算した値を実測値取得部１３４に通知する。実測値取得部１３４は、それぞれの区画４００に設けられた電力計測器４２０により計測された消費エネルギーを取得し、取得した値を合算することにより、複数の区画４００における総消費エネルギーの実測値を取得してもよい。
【００６３】
差分値算出部１３６は、実測値取得部１３４が取得した実測値から目標値記憶部１３０が記憶している目標値を引いて差分値を算出する。例えば、目標値記憶部１３０が記憶している目標値が１０ｋＷであるのに対して、実測値が１５ｋＷである場合には、差分値算出部１３６は差分値が５ｋＷであると算出する。目標値記憶部１３０が記憶している目標値が１０ｋＷであるのに対して、実測値が８ｋＷである場合には、差分値算出部１３６は差分値が−２ｋＷであると算出する。
【００６４】
運転制御部１１０は、区画種別記憶部１３２が記憶している区画種別及び差分値算出部１３６が算出した差分値に基づいて、複数のテンプレートから接続機器４１０の運転制御に用いる実行テンプレートを選定する。運転制御部１１０は、選定した実行テンプレートに従って、複数の区画４００の接続機器４１０の運転を制御する。運転制御部１１０は、実行テンプレートに従って機器制御端末３００に接続機器４１０の運転を制御させてもよい。
【００６５】
運転制御部１１０は、差分値が正の値である場合には、区画種別が異なる区画４００における接続機器４１０の動作モードがそれぞれ異なるテンプレートを選定する。具体的には、運転制御部１１０は、差分値が正の値である場合に、節電優先度が高い区画４００−１を「ハード省エネルギーモード」で動作させ、かつ、節電優先度が区画４００−１よりも低い区画４００−２を、「ハード省エネルギーモード」よりも消費エネルギーが大きな「ソフト省エネルギーモード」で動作させるテンプレートを選定してよい。
【００６６】
運転制御部１１０は、差分値が負の値である場合には、区画種別によらず、同一の動作モードとなるテンプレートを選定してもよい。例えば、運転制御部１１０は、差分値が負の値である場合には、区画４００−１及び区画４００−２を共に「ソフト省エネルギーモード」で動作させるテンプレートを選定する。
【００６７】
運転制御部１１０は、差分値が予め定められた第１差分値よりも大きくなると、節電優先度に基づいて、実行テンプレートを再選定してもよい。例えば、運転制御部１１０は、差分値が０よりも大きくなり、負の値から正の値に変化すると、節電優先度が高い区画４００−１の消費エネルギーを小さくするテンプレートに変更する。運転制御部１１０は、差分値が正の値から負の値に変化すると、節電優先度が低い区画４００−２の消費エネルギーを大きくするテンプレートに変更してもよい。
【００６８】
第１差分値は、目標値に対して予め定められた割合であってもよい。例えば、目標値が１０ｋＷである場合に、差分値が目標値の２０％に相当する２ｋＷよりも大きくなると、運転制御部１１０は、節電優先度が高い区画４００−１の消費エネルギーを小さくするテンプレートに変更する。差分値が目標値の１０％に相当する１ｋＷよりも小さくなると、消費エネルギーが小さくされていた区画４００−１の消費エネルギーを大きくするテンプレートを再選定してもよい。
【００６９】
運転制御部１１０は、差分値が、第１差分値よりも大きな第２差分値よりも大きくなると、第１の区画４００よりも節電優先度が低い第２の区画４００における消費エネルギーを低減するべく実行テンプレートを再選定してもよい。具体的には、運転制御部１１０は、差分値が０よりも大きくなった時点で節電優先度が区画４００−２の節電優先度よりも高い区画４００−１の消費エネルギーを小さくした後に、差分値が２ｋＷよりも大きくなった時点で、区画４００−２における消費エネルギーが小さくなるテンプレートに変更してよい。
【００７０】
運転制御部１１０は、目標値の変更に応じて、実行テンプレートを再選定してもよい。例えば、差分値算出部１３６は、目標値記憶部１３０がエネルギー供給業者から目標値を取得すると、差分値を再計算し、運転制御部１１０は、再計算された差分値に基づいて実行テンプレートを再選定する。
【００７１】
運転制御部１１０は、差分値が予め定められた値よりも大きくなると、区画４００の区画種別及び複数の接続機器４１０の優先度に基づいてテンプレートを再選定してもよい。例えば、窓に近い区画４００−１においては、運転制御部１１０は、照明機器４１４よりも空調機器４１２の優先度が高いと判断して、照明機器４１４の消費エネルギーを削減する空調優先テンプレートを再選定する。窓から遠い区画４００−２においては、運転制御部１１０は、空調機器４１２よりも照明機器４１４の優先度が高いと判断して、空調機器４１２の消費エネルギーを削減する照明優先テンプレートを再選定する。運転制御部１１０は、区画４００−１及び区画４００−２の予約時間にさらに基づいて、テンプレートを再選定してもよい。
【００７２】
運転制御部１１０は、照明機器４１４の消費エネルギー量に基づいて、実行テンプレートを再選定してもよい。例えば、運転制御部１１０は、差分値が予め定められた第１差分値よりも大きくなると、最も消費エネルギーが大きい白熱灯を消灯するテンプレートに変更し、差分値が第１差分値よりも大きな第２差分値よりも大きくなると、白熱灯の次に消費エネルギーが大きい蛍光灯を消灯するテンプレートに変更する。
【００７３】
テンプレート記憶部１１２は、空調機器４１２の使用を優先する空調優先テンプレートと、照明機器４１４の使用を優先する照明優先テンプレートとを記憶してもよい。運転制御部１１０は、時刻に応じて、空調優先テンプレート及び照明優先テンプレートのいずれを選定するかを決定してもよい。
【００７４】
例えば、運転制御部１１０は、午後１時から午後４時の間は、空調優先テンプレートを選定する。運転制御部１１０は、午後５時を過ぎて暗くなってくると、運転制御部１１０は照明優先テンプレートを選定する。運転制御部１１０は、季節に応じて、テンプレートを再選定する時刻を変更してもよい。運転制御部１１０がこのように制御することにより、省エネルギー装置１００は、消費エネルギーを削減しつつ、周辺環境に応じて最適な環境を提供することができる。
【００７５】
運転制御部１１０は、区画種別に基づいて選定した第１の区画４００−１における消費エネルギーを低減するべく実行テンプレートを再選定した後に予め定められた時間が経過すると、第１実行テンプレートを変更前の第１実行テンプレートに戻すとともに、第２の区画４００−２における消費エネルギーを低減するべく実行テンプレートを再選定してもよい。例えば、運転制御部１１０は、区画４００−１及び区画４００−２における不快度に対応づけて定められた時間が経過すると、実行テンプレートを再選定する。具体的には、運転制御部１１０は、区画４００−１における不快度と区画４００−２における不快度の差が予め定められた値よりも大きくなると、それぞれの不快度の差を小さくするべく実行テンプレートを再選定する。省エネルギー装置１００は、このような制御により、複数の区画４００の環境を均等にすることができる。
【００７６】
運転制御部１１０は、それぞれの区画４００の温度、湿度、照度及人の検出状況のうちの少なくとも一つを示す情報を取得し、取得した情報にさらに基づいて実行テンプレートを再選定してもよい。例えば、運転制御部１１０は、差分値が予め定められた値よりも大きい場合に、人が検出されない区画４００の消費エネルギーを減少させるテンプレートに変更する。運転制御部１１０は、差分値が予め定められた値よりも大きい場合に、温度、湿度又は照度が予め定められた範囲内の区画４００の消費エネルギーを減少させるテンプレートに変更してもよい。省エネルギー装置１００は、このような制御により、消費エネルギーを目標値に近づけるとともに、よい環境を維持することができる。
【００７７】
図７は、他の実施形態に係る省エネルギー装置１００及び省エネルギーシステム１０００の構成例を示す。図７に示す省エネルギー装置１００は、図６に示した省エネルギー装置１００に対して予約時間記憶部１１４をさらに有する。図７における予約時間記憶部１１４は、図１に示した予約時間記憶部１１４と同等の機能を有し、それぞれの区画４００の予約時間を含む情報を記憶する。
【００７８】
運転制御部１１０は、予約時間記憶部１１４が記憶している予約時間にさらに基づいて、実行テンプレートを選定する。例えば、午後３時から、区画４００−１が予約されており、区画４００−２が予約されていないとする。この場合に、運転制御部１１０は、差分値が予め定められた第１差分値である０ｋＷよりも大きい場合に、午後３時の予約時間に基づいて、予約されていない区画４００−２における消費エネルギーを低減するべく実行テンプレートを再選定してもよい。
【００７９】
例えば、運転制御部１１０は、予約されている区画４００−１の予約時間である午後３時になると、予約されていない区画４００−２の接続機器４１０−２の消費エネルギーを小さくするべく実行テンプレートを再選定する。運転制御部１１０は、予約されている時間に対して予め定められた時間だけ前の時間において実行テンプレートを再選定してもよい。一例として、運転制御部１１０は、予約されていない区画４００−２における空調機器４１２−２の運転を開始しない。これらの制御により、区画４００−１における消費エネルギーが増加するにもかかわらず、建物全体の消費エネルギー量の増大を防ぐことができる。
【００８０】
さらに、運転制御部１１０は、差分値が第１差分値よりも大きな第２差分値よりも大きい場合に、予約されている区画４００における消費エネルギーを低減するべく実行テンプレートを再選定してもよい。例えば、区画４００−１が予約されている時間において差分値が２ｋＷよりも大きい場合には、目標値との差分がさらに大きくなることを防ぐべく、運転制御部１１０は、節電優先度が低い区画４００−２においても消費エネルギーを低減することができるテンプレートに変更する。
【００８１】
図８は、他の実施形態に係る省エネルギー装置１００及び省エネルギーシステム１０００の構成例を示す。図８に示す省エネルギー装置１００は、図７に示した省エネルギー装置１００に対して状態取得部１１８をさらに有する。図８における状態取得部１１８は、図５に示した状態取得部１１８と同等の機能を有し、それぞれの区画４００において人を検出したことを示す人検出信号を取得する。
【００８２】
運転制御部１１０は、差分値が予め定められた第１差分値よりも大きいと、予約されている区画４００のうち、人検出信号が非アクティブ状態で人が検出されていない区画４００における消費エネルギーを低減するべく実行テンプレートを再選定する。運転制御部１１０は、差分値が第１差分値よりも大きな第２差分値よりも大きくなると、さらに人検出信号がアクティブ状態の区画４００における消費エネルギーを低減するべく実行テンプレートを再選定する。
【００８３】
運転制御部１１０は、予約されている区画４００の予約時間になってから予め定められた時間が経過した後に、区画４００に対応する人検出信号が非アクティブ状態である場合には、予約されている区画４００における消費エネルギーを低減するべく実行テンプレートを再選定してもよい。運転制御部１１０は、差分値の大きさに応じて、予約時間になってから人が来ない場合にテンプレートを再選定するまでの時間を決定してもよい。例えば、差分値が第１差分値よりも大きく、消費エネルギーを削減する必要性が高い場合には、テンプレートを選定するまでの時間を第１の時間とし、差分値が第１差分値よりも小さい場合には、第１の時間よりも長い第２の時間が経過した後に、テンプレートを再選定してよい。
【００８４】
図９は、他の実施形態に係る省エネルギー装置１００及び省エネルギーシステム１０００の構成例を示す。図９における省エネルギー装置１００は、図１に示した省エネルギー装置１００における予約時間記憶部１１４に代えて不快指標算出部１４０を有する。不快指標算出部１４０は、接続機器４１０の設定が変更された量に基づいて、テンプレートに対応する接続機器４１０のユーザの不快度を示す不快指標を算出する。不快指標算出部１４０は、それぞれのテンプレートに対応して、それぞれの区画４００における不快指標の初期値を予め記憶しておいてもよい。
【００８５】
具体的には、不快指標算出部１４０は、機器制御端末３００及びネットワーク２００を介して、それぞれの区画４００に設けられた接続機器４１０における設定変更の操作情報を取得する。不快指標算出部１４０は、例えば、空調機器４１２における温度変更の操作に応じた情報を取得する。不快指標算出部１４０は、設定された温度に対応する情報を取得してもよい。
【００８６】
一例として、不快指標算出部１４０は、接続機器４１０の設定を変更するためのキーが押下された回数に基づいて、不快指標を算出する。不快指標算出部１４０は、接続機器４１０の設定温度の変化量に基づいて、不快指標を算出してもよい。
【００８７】
具体的には、不快指標算出部１４０は、例えば、接続機器４１０の設定を変更する操作が１回行われると、不快指標の数値を１だけ大きくする。不快指標算出部１４０は、接続機器４１０の設定を変更する操作がｎ回行われると、不快指標の数値をｎだけ大きくする。ただし、ｎは自然数である。不快指標算出部１４０は、接続機器４１０の設定を変更する操作が予め定められた回数だけ行われると、不快指標の数値を１だけ大きくしてもよい。同様に、不快指標算出部１４０は、設定温度がｎ℃変更されるごとに、不快指標を１だけ大きくしてもよい。
【００８８】
不快指標算出部１４０は、算出した不快指標を、使用されているテンプレートに対応づけて記憶してもよい。不快指標算出部１４０は、さらに区画４００に対応づけて不快指標を記憶してもよい。
【００８９】
運転制御部１１０は、不快指標に基づいて実行テンプレートを再選定する。例えば、運転制御部１１０は、不快指標が変化すると、不快指標を小さくすることができるテンプレートに変更する。具体的には、「ハード省エネルギーモード」で冷房動作をしている空調機器４１２の温度を下げる操作が行われ、不快指標が大きくなった場合には、運転制御部１１０は、「ハード省エネルギーモード」よりも消費エネルギーが大きな「ソフト省エネルギーモード」で空調機器４１２を冷房動作させるテンプレートに変更してよい。
【００９０】
運転制御部１１０は、不快指標が、接続機器４１０の設定が変更された量に対応する予め定められた値になると、より大きなエネルギーを消費するべく実行テンプレートを再選定してもよい。例えば、運転制御部１１０は、不快指標が１だけ大きくなった状態ではテンプレートを変更しないで、不快指標が２だけ大きくなった時点でテンプレートを変更する。
【００９１】
不快指標算出部１４０は、設定が変更されてから予め定められた時間内に設定の変更を打ち消す変更がされた場合には、不快指標の変更をしない。運転制御部１１０は、設定が変更されてから予め定められた時間内に設定の変更を打ち消す変更がされると、実行テンプレートを再選定しない。
【００９２】
例えば、不快指標算出部１４０は、設定変更の誤操作により不快指標を変更することを防ぐべく、温度を下げる方向に設定が変更されてから第１の時間（例えば１０秒）以内に温度を上げる方向に設定が変更された場合には、不快指標の変更をしない。不快指標算出部１４０は、室内環境が安定した状態におけるユーザの不快度に基づいて不快指標を算出するべく、第１の時間より長い第２の時間（例えば５分）以内に温度を上げる方向に設定が変更された場合に、不快指標の変更をしないでもよい。
【００９３】
図１０は、他の実施形態に係る省エネルギー装置１００及び省エネルギーシステム１０００の構成例を示す。図１０における省エネルギー装置１００は、図９に示した省エネルギー装置１００に対して、目標値記憶部１３０、実測値取得部１３４及び差分値算出部１３６をさらに有する。省エネルギー装置１００は、区画種別記憶部１３２をさらに有してもよい。目標値記憶部１３０、実測値取得部１３４及び差分値算出部１３６は、図６に示した目標値記憶部１３０、実測値取得部１３４及び差分値算出部１３６と同等の機能を有する。
【００９４】
運転制御部１１０は、差分値算出部１３６が算出した差分値に基づいて、不快指標の変化に応じて実行テンプレートを再選定するか否かを決定する。例えば、運転制御部１１０は、差分値が第１差分値よりも大きい場合には、消費エネルギーを増大させることを防ぐために、不快指標が大きくなったとしてもテンプレートを変更しない。運転制御部１１０は、差分値が第１差分値よりも小さな第２差分値よりも小さい場合には、消費エネルギーを増大する余地があると判断して、不快指標が大きくなった場合に、不快指標を小さくするべくテンプレートを変更する。
【００９５】
運転制御部１１０は、差分値が予め定められた量よりも大きい場合に、不快指標の変化に応じて実行テンプレートを再選定した後に予め定められた時間が経過すると、変更する前の実行テンプレートを再選定してもよい。例えば、運転制御部１１０は、不快指標が変化してテンプレートを変更してから、室内環境が安定する時間が経過した後に、変更前のテンプレートに戻す。
【００９６】
差分値算出部１３６は、変更前のテンプレートに戻された状態で室内環境が安定する時間が経過してから予め定められた時間が経過した後に、接続機器４１０の設定を変更する操作が行われない場合には、不快指標を小さくする変更をしてもよい。このようにすることで、差分値算出部１３６は、室内環境が安定した状態における不快指標を算出することができるので、省エネルギー装置１００は、消費エネルギーを抑制しつつ、不快度を下げることができる。
【００９７】
運転制御部１１０は、接続機器４１０における消費エネルギーを大きくする方向に設定が変更された場合には、差分値が予め定められた量より小さい場合に、実行テンプレートを再選定してもよい。具体的には、運転制御部１１０は、差分値が予め定められた量よりも大きい場合には、不快指標の大きさによらず実行テンプレートを再選定しないで、差分値が予め定められた量よりも小さい場合には、不快指標に基づいて実行テンプレートを再選定する。
【００９８】
一例として、運転制御部１１０は、差分値が目標値よりも大きい場合には、消費エネルギーを増加することが好ましくないと判断し、消費エネルギーを大きくするテンプレートに変更しない。他方、運転制御部１１０は、差分値が目標値以下である場合には、消費エネルギーを増加させて不快度を低下させることが好ましいと判断し、不快度を低下させるテンプレートに変更する。
【００９９】
ユーザの不快度は、接続機器４１０が設けられている区画４００の温度、湿度及び照度により影響される。例えば、運転制御部１１０が、外気温が２５℃である場合にユーザが快適であると感じるテンプレートを選定すると、外気温が３０℃である場合には、ユーザが不快であると感じる。そこで、不快指標算出部１４０は、接続機器４１０が動作する場所における環境条件に対応づけて、不快指標を算出してもよい。例えば、不快指標算出部１４０は、接続機器４１０が設けられた区画４００の周囲温度、湿度及び照度の少なくとも一つに対応づけて不快指標を算出する。
【０１００】
運転制御部１１０は、区画４００の環境条件を取得し、取得した環境条件に対応する不快指標に基づいて、実行テンプレートを選定してよい。例えば、運転制御部１１０は、接続機器４１０が設けられている区画４００の外気温が３０℃である場合には、当該気温に対応する不快指標に基づいてテンプレートを選定する。
【０１０１】
一例として、運転制御部１１０は、ユーザが不快であると感じ始める状態に対応する不快指標を有するテンプレートを選定する。運転制御部１１０は、このような動作により、必要以上に快適な状態にすることなく消費エネルギーを抑制することができる。
【０１０２】
運転制御部１１０は、差分値が予め定められた第１差分値よりも大きい場合に、複数の区画４００のうち不快度が比較的高い区画４００−１における消費エネルギーを増加させ、差分値が第１差分値よりも小さい場合に、複数の区画４００のうち不快度が区画４００−１よりも小さい区画４００−２における消費エネルギーを増加させてもよい。省エネルギー装置１００は、このように制御することにより、複数の区画における不快度を均等化するとともに、消費エネルギーを抑制することができる。
【０１０３】
図１１は、他の実施形態に係る省エネルギー装置１００及び省エネルギーシステム１０００の構成例を示す。図１１における省エネルギー装置１００は、図１０における省エネルギー装置１００に対して、予約時間記憶部１１４をさらに有する。運転制御部１１０は、予約時間記憶部１１４が記憶している予約時間と、不快指標算出部１４０が算出する快適指標に基づいてテンプレートを選定してもよい。運転制御部１１０は、予約時間、快適指標及び差分値の少なくとも一つに基づいてテンプレートを選定してよい。
【０１０４】
運転制御部１１０は、予約時間に基づいて選定したテンプレートを使用する場合の消費エネルギーと、当該テンプレートに対応する不快指標に基づいて、実行テンプレートを再選定するか否かを決定しもよい。具体的には、運転制御部１１０は、第１のテンプレートを用いる場合の消費エネルギーと、予約時間外に用いられることが想定され、かつ、第１テンプレートよりも不快指標が大きな第２テンプレートとの消費エネルギーの差が予め定められた大きさより小さい場合に、予約時間が終了しても、第２テンプレートに変更しない。
【０１０５】
運転制御部１１０は、差分値が第１差分値よりも大きな場合には、不快指標によらず、予約時間が終了するとテンプレートを変更し、かつ、差分値が第１差分値以下である場合に、不快指標が予め定められた範囲に対応するテンプレートに変更してもよい。
【０１０６】
運転制御部１１０は、使用している第１テンプレートにおける消費エネルギーに対して、不快指標が小さくなり、かつ、第１テンプレートに対する消費エネルギーの増加量が予め定められた値よりも小さい場合に、不快指標が小さくなる第２テンプレートに変更してもよい。運転制御部１１０は、差分値が予め定められた値よりも小さい場合に、不快指標が小さくなる第２テンプレートに変更してもよい。
【０１０７】
不快指標算出部１４０は、空調機器４１２の設定が変更される量に基づいて、温度に関するユーザの不快度を示す空調不快指標を算出し、照明機器４１４の設定が変更される量に基づいて、照度に関するユーザの不快度を示す照明不快指標を算出してもよい。運転制御部１１０は、空調不快指標及び照明不快指標の大きさに基づいて、実行テンプレートを空調優先テンプレート及び照明優先テンプレートのいずれかに変更してよい。
【０１０８】
例えば、運転制御部１１０は、空調不快指標及び照明不快指標のうち、より大きな値の不快指標を小さくするべくテンプレートを選定する。運転制御部１１０は、予め定められた空調機器４１２と照明機器４１４との間の優先度にさらに基づいて、空調優先テンプレート及び照明優先テンプレートのいずれかを選定してもよい。
【０１０９】
運転制御部１１０は、差分値が予め定められた値よりも小さく、かつ、空調不快指標が照明不快指標よりも大きい場合には、実行テンプレートを空調優先テンプレートに変更し、差分値が予め定められた値よりも小さく、かつ、照明不快指標が空調不快指標よりも大きい場合には、実行テンプレートを照明優先テンプレートに変更してもよい。
【０１１０】
テンプレート記憶部１１２は、複数の区画４００のそれぞれに対応づけて複数のテンプレートを記憶してもよい。不快指標算出部１４０は、複数の区画４００のそれぞれに対応づけて不快指標を算出する。運転制御部１１０は、それぞれの区画４００の不快指標に基づいて、より大きな不快指標を有する区画４００の不快度を低減するべく、テンプレートを変更してもよい。
【０１１１】
運転制御部１１０は、さらに差分値に基づいて実行テンプレートを変更してもよい。例えば、差分値がマイナスである場合には、運転制御部１１０は、不快指標によらず、全ての区画の不快度が低減するべく実行テンプレートを変更する。運転制御部１１０は、差分値がプラスである場合には、不快指標が予め定められた値よりも大きい区画４００のみの不快度を低減するべく実行テンプレートを変更する。運転制御部１１０は、差分値の値に応じて、不快度を低減させる区画４００を決定し、当該決定に基づいてテンプレートを選定してもよい。
【０１１２】
図１２は、他の実施形態に係る省エネルギー装置１００の構成例を示す。図１２に示す省エネルギー装置１００は、図９に示した省エネルギー装置１００と同等の機能を有するが、接続機器４１０と直接接続されている。図１２に示すように、省エネルギー装置１００は、機器制御端末３００を介することなく一つの接続機器４１０を直接制御してもよい。
【０１１３】
省エネルギー装置１００は、接続機器４１０と一体化されていてもよい。例えば、省エネルギー装置１００は、設定変更操作の量に応じて算出される不快指標に基づいて動作が制御される空調機器又は照明機器である。
【０１１４】
図１３は、他の実施形態に係る省エネルギー装置１００及び省エネルギーシステム１０００の構成例を示す。図１３に示した省エネルギー装置１００は、図５に示した省エネルギー装置１００に対して、状態表示部１５０を有する点で異なる。
【０１１５】
状態表示部１５０は、接続機器４１０の状態を操作端末３１０に表示する。例えば、状態表示部１５０は、状態取得部１１８が、予約されている区画４００−１に設けられたセンサ４１６−１から人が存在することを示す区画状態信号を取得すると、区画４００−１のステータスを「利用中」として操作端末３１０に表示する。状態表示部１５０は、状態取得部１１８が、予約されていない区画４００−２に設けられたセンサ４１６−２から人が存在することを示す区画状態信号を取得すると、区画４００−２のステータスを「無断利用」として操作端末３１０に表示する。
【０１１６】
さらに、状態表示部１５０は、予約されているにもかかわらず人の存在を検出できない場合はステータスを「未使用」としてもよい。状態表示部１５０は、人の存在を検出できないにもかかわらず、空調機器４１２又は照明機器４１４のスイッチがオン状態になっている場合には、操作端末３１０に警告表示をする。このように、状態表示部１５０が、予約情報及び区画状態信号に基づいて区画４００の状態を操作端末３１０に表示することにより、省エネルギー装置１００のユーザが区画４００の状態をリアルタイムで把握できるので、ユーザに省エネルギーのための行動を促すことができる。
【０１１７】
図１４は、他の実施形態に係る省エネルギー装置１００を構成するコンピュータ７００のハードウェア構成の一例を示す。コンピュータ７００は、ＣＰＵ５００、ＲＯＭ５１０、ＲＡＭ５２０、グラフィックコントローラ５３０、表示装置５４０、通信インターフェイス５６０、通信コントローラ５５０、ディスクコントローラ５７０、ハードディスクドライブ５８０及びＣＤ−ＲＯＭドライブ５９０を備える。コンピュータ７００においては、ＲＯＭ５１０に格納されたプログラムをＣＰＵ５００が読み出して実行することにより、省エネルギー装置１００として機能する。
【０１１８】
ＣＰＵ５００は、ディスクコントローラ５７０を介してハードディスクドライブ５８０に格納されたプログラムを読み出して実行することにより、省エネルギー装置１００として機能してもよい。ＣＰＵ５００は、記憶媒体６００に格納されたプログラムを読み出して実行することにより、省エネルギー装置１００として機能してもよい。
【０１１９】
ＣＰＵ５００が実行するプログラムは、消費エネルギーを低減するべく接続機器４１０の運転を制御するための省エネルギープログラムである。例えば、コンピュータ７００は、ＣＰＵ５００が省エネルギープログラムを実行することにより、省エネルギー装置１００として機能する。
【０１２０】
具体的には、ＣＰＵ５００は、プログラムを実行することにより、運転制御部１１０、状態取得部１１８、実測値取得部１３４、差分値算出部１３６及び不快指標算出部１４０として機能する。ＲＯＭ５１０又はＲＡＭ５２０は、テンプレート記憶部１１２、予約時間記憶部１１４、目標値記憶部１３０及び区画種別記憶部１３２として機能する。
【０１２１】
ＣＰＵ５００は、送受信部１１６として機能する通信コントローラ５５０及び通信インターフェイス５６０を介して、機器制御端末３００から接続機器４１０の状態を示す情報を取得したり、操作端末３１０において入力された区画４００の予約状況を示す情報を取得したりする。例えば、通信インターフェイス５６０はインターネットに代表されるネットワーク２００に接続されており、ＣＰＵ５００は、ネットワーク２００に接続された機器制御端末３００及び操作端末３１０から送信された情報を取得する。
【０１２２】
また、ＣＰＵ５００は、通信コントローラ５５０及び通信インターフェイス５６０を介して接続された操作端末３１０に、区画種別記憶部１３２に記憶されている目標値、実測値取得部１３４が取得した実測値及び差分値算出部１３６が算出した差分値の少なくとも一つを表示させる。
【０１２３】
一例として、コンピュータ７００と外部のコンピュータとの間で通信を行う場合には、ＣＰＵ５００は、ＲＡＭ５２０上にロードされた通信プログラムを実行し、通信プログラムに記述された処理内容に基づいて、通信コントローラ５５０に対して通信処理を実行するように指示する。通信コントローラ５５０は、ＣＰＵ５００の制御を受けて、ＲＡＭ５２０に格納されたデータをネットワーク２００に送信する。
【０１２４】
図１５は、本実施形態に係る省エネルギープログラムをＣＰＵ５００が実行する場合のフローチャートの一例を示す。具体的には、図１３は、図１に示した区画４００が予約されている場合の省エネルギープログラムによる動作を示す。
【０１２５】
運転制御部１１０として機能するＣＰＵ５００は、予約時間記憶部１１４から区画４００−１の予約開始時刻を読み出す。ＣＰＵ５００は、予約時刻の１０分前になると（Ｓ１００）、テンプレート記憶部１１２から予約内容に対応するテンプレートを選定する（Ｓ１０２）。これ以降、ＣＰＵ５００は、選定したテンプレートに従って動作する。
【０１２６】
ＣＰＵ５００は、テンプレートに従って、空調機器４１２を起動して「冷房」モードで運転させる（Ｓ１０４）。続いて、予約時刻になると（Ｓ１０６）、照明機器４１４を点灯させる（Ｓ１０８）。ＣＰＵ５００は、予約時刻から５分が経過した後に（Ｓ１１０）、状態取得部１１８から人を検出した信号を取得できない場合には（Ｓ１１２）、空調機器４１２及び照明機器４１４の電源をオフするとともに（Ｓ１１４）、予め定められたアドレスに電子メールを送信する（Ｓ１１５）。
【０１２７】
ＣＰＵ５００は、予約時刻から５分が経過した時点で（Ｓ１１０）、状態取得部１１８から人を検出した信号を取得できた場合には、空調機器４１２及び照明機器４１４を継続して動作させる。
【０１２８】
ＣＰＵ５００は、空調機器４１２を起動させて「冷房」モードでの運転を開始してからα分が経過すると（Ｓ１１６）、空調機器４１２を「送風」モードに切り替える（Ｓ１１８）。ＣＰＵ５００は、空調機器４１２を「送風」モードに切り替えてからβ分が経過すると（Ｓ１２０）、空調機器４１２を再び「冷房」モードで運転させる（Ｓ１２２）。ここで、α及びβは、ＣＰＵ５００が選定したテンプレートに応じて異なる値である。消費エネルギーを低く抑制するモードにおいては、消費エネルギーを低く抑制しないモードに比べてβが大きく、αが小さい。
【０１２９】
ＣＰＵ５００は、予約終了時刻になるまでの間（Ｓ１２４）、Ｓ１１６からＳ１２２までの動作を繰り返す。ＣＰＵ５００は、予約終了時刻になると、空調機器４１２の運転を停止する（Ｓ１２６）。ＣＰＵ５００は、予約終了時刻において状態取得部１１８から人を検出した信号を取得できないにもかかわらず照明機器４１４が点灯している場合には（Ｓ１２８）、照明機器４１４を消灯する（Ｓ１３０）。
【０１３０】
ＣＰＵ５００は、Ｓ１１６からＳ１２２の間に、差分値に応じてテンプレートを変更してもよい。一例として、ＣＰＵ５００は、差分値に応じてα及びβの値を変更する。具体的には、ＣＰＵ５００は、差分値が目標値よりも大きくなると、αを小さくして、βを大きくしてよい。ＣＰＵ５００は、差分値が目標値よりも小さくなると、αを大きくして、βを小さくしてよい。
【０１３１】
ＣＰＵ５００は、Ｓ１１６からＳ１２２の間に、不快指標に応じてテンプレートを変更してもよい。例えば、ＣＰＵ５００は、不快指標が予め定められた値よりも大きくなると、αを大きくして、βを小さくしてよい。ＣＰＵ５００は、予約時間、差分値及び不快指標のいずれかに基づいて、テンプレートを変更してよい。同様に、ＣＰＵ５００が省エネルギープログラムを実行することにより、本明細書で説明した全ての実施形態を実行できることは、当業者に明らかである。
【０１３２】
以上説明したように、本実施形態に係る省エネルギー装置１００、省エネルギーシステム１０００及び省エネルギープログラムによれば、建物内に複数の異なる区画がある場合に、それぞれの区画の種別、消費エネルギーの目標値及び消費エネルギーの計測値との差に基づいて、それぞれの区画内の接続機器を適切に制御できるので、快適性が損なわれる区画を生じさせることなく、建物全体の消費エネルギーを低減することができる。
【０１３３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【０１３４】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【０１３５】
１００  省エネルギー装置、１１０  運転制御部、１１２  テンプレート記憶部、１１４  予約時間記憶部、１１６  送受信部、１１８  状態取得部、１３０  目標値記憶部、１３２  区画種別記憶部、１３４  実測値取得部、１３６  差分値算出部、１４０  不快指標算出部、１５０  状態表示部、２００  ネットワーク、３００  機器制御端末、３１０  操作端末、４００  区画、４１０  接続機器、４１２  空調機器、４１４  照明機器、４１６  センサ、４２０  電力計測器、５００  ＣＰＵ、５１０  ＲＯＭ、５２０  ＲＡＭ、５３０  グラフィックコントローラ、５４０  表示装置、５５０  通信コントローラ、５６０  通信インターフェイス、５７０  ディスクコントローラ、５８０  ハードディスクドライブ、５９０  ＣＤ−ＲＯＭドライブ、６００  記憶媒体、７００  コンピュータ、１０００  省エネルギーシステム
【図１】
2014081668.tif 000003
【図２】
2014081668.tif 000004
【図３Ａ】
2014081668.tif 000005
【図３Ｂ】
2014081668.tif 000006
【図４】
2014081668.tif 000007
【図５】
2014081668.tif 000008
【図６】
2014081668.tif 000009
【図７】
2014081668.tif 000010
【図８】
2014081668.tif 000011
【図９】
2014081668.tif 000012
【図１０】
2014081668.tif 000013
【図１１】
2014081668.tif 000014
【図１２】
2014081668.tif 000015
【図１３】
2014081668.tif 000016
【図１４】
2014081668.tif 000017
【図１５】
2014081668.tif 000018
【手続補正書】
【提出日】平成24年1月23日(2012.1.23)
【手続補正１】
【補正対象書類名】特許請求の範囲
【補正対象項目名】全文
【補正方法】変更
【補正の内容】
【特許請求の範囲】
【請求項１】
建物内の複数の区画のそれぞれの区画に設けられた複数の接続機器の消費エネルギーを制御する省エネルギー装置であって、
前記複数の区画における総消費エネルギーの目標値を記憶する目標値記憶部と、
前記複数の区画における総消費エネルギーの実測値を取得する実測値取得部と、
前記実測値から前記目標値を引いて差分値を算出する差分値算出部と、
前記複数の区画における前記複数の接続機器を制御する手順を定めた、前記総消費エネルギーが異なる複数のテンプレートを記憶するテンプレート記憶部と、
前記複数のテンプレートから前記複数の区画における前記複数の接続機器の運転制御に用いる実行テンプレートを選定し、前記実行テンプレートに従って、前記複数の区画の前記複数の接続機器の運転を制御する運転制御部と
を備え、
前記運転制御部は、前記差分値が予め定められた値よりも大きくなると、前記実行テンプレートを再選定する省エネルギー装置。
【請求項２】
前記それぞれの区画の区画種別を記憶する区画種別記憶部をさらに備え、
前記差分値が予め定められた値よりも大きくなると、前記区画種別、及び、前記それぞれの区画における前記複数の接続機器の節電優先度に基づいて、前記実行テンプレートを再選定する請求項１に記載の省エネルギー装置。
【請求項３】
前記運転制御部は、前記区画種別に基づいて第１の区画の消費エネルギーを低減するべく前記実行テンプレートを選定した後に予め定められた時間が経過すると、前記第１の区画と異なる第２の区画の消費エネルギーを低減するべく前記実行テンプレートを再選定する請求項２に記載の省エネルギー装置。
【請求項４】
前記運転制御部は、前記第１の区画における不快度と前記第２の区画における不快度との差が予め定められた値よりも大きくなると、前記差を小さくするべく前記実行テンプレートを再選定する請求項３に記載の省エネルギー装置。
【請求項５】
前記テンプレート記憶部は、空調機器の使用を優先する空調優先テンプレートと照明機器の使用を優先する照明優先テンプレートとを記憶し、
前記運転制御部は、時刻に応じて、前記空調優先テンプレートと前記空調優先テンプレートのいずれを選定するかを決定する請求項１から４のいずれか一項に記載の省エネルギー装置。
【請求項６】
前記それぞれの区画の予約時間を記憶する予約時間記憶部と、
人の存在の有無を示す在室状態信号を取得する状態取得部と
をさらに備え、
前記運転制御部は、前記予約時間を過ぎてから前記差分値の大きさに基づいて定められる時間が経過しても前記在室状態信号が前記人の存在を示さない場合に、前記実行テンプレートを再選定する請求項１から４のいずれか一項に記載の省エネルギー装置。
【請求項７】
建物内の複数の区画のそれぞれの区画に設けられた複数の接続機器の消費エネルギーを制御する省エネルギーシステムであって、
前記それぞれの区画の前記複数の接続機器を制御する機器制御端末と、
前記機器制御端末に前記複数の接続機器を制御させる手順を定めた複数のテンプレートを保持するサーバーと
を備え、
前記サーバーは、
前記複数の区画における総消費エネルギーの目標値を記憶する目標値記憶部と、
前記複数の区画における総消費エネルギーの実測値を前記機器制御端末から取得する実測値取得部と、
前記目標値から前記実測値を引いて差分値を算出する差分値算出部と、
前記複数の区画における前記複数の接続機器を制御する手順を定めた、前記総消費エネルギーが異なる複数のテンプレートを記憶するテンプレート記憶部と、
前記複数のテンプレートから前記複数の区画における前記複数の接続機器の運転制御に用いる実行テンプレートを選定し、前記実行テンプレートに従って、前記複数の区画の前記複数の接続機器の運転を制御する運転制御部と
を備え、
前記運転制御部は、前記差分値が予め定められた値よりも大きくなると、前記実行テンプレートを再選定する省エネルギーシステム。
【請求項８】
前記サーバーは、前記それぞれの区画の区画種別を記憶する区画種別記憶部をさらに備え、
前記差分値が予め定められた値よりも大きくなると、前記区画種別、及び、前記それぞれの区画における前記複数の接続機器の節電優先度に基づいて、前記実行テンプレートを再選定する請求項７に記載の省エネルギーシステム。
【請求項９】
コンピュータに建物内の複数の区画のそれぞれの区画に設けられた複数の接続機器の消費エネルギーを制御させるための省エネルギープログラムであって、
前記コンピュータに、
前記複数の区画における総消費エネルギーの目標値を目標値記憶部に格納させ、
前記複数の区画における総消費エネルギーの実測値を取得させ、
前記目標値から前記実測値を減算して差分値を算出させ、
前記複数の区画における前記複数の接続機器を制御する手順を定めた、前記総消費エネルギーが異なる複数のテンプレートをテンプレート記憶部に格納させ、
前記複数のテンプレートから前記複数の区画における前記複数の接続機器の運転制御に用いる実行テンプレートを選定させ、前記実行テンプレートに従って、前記複数の区画の前記複数の接続機器の運転を制御させ、前記差分値が予め定められた値よりも大きくなると、前記実行テンプレートを再選定させるための省エネルギープログラム。
【請求項１０】
前記コンピュータに、さらに前記それぞれの区画の区画種別を記憶させ、
前記差分値が予め定められた値よりも大きくなると、前記区画種別、及び、前記それぞれの区画における前記複数の接続機器の節電優先度に基づいて、前記実行テンプレートを再選定させる請求項９に記載の省エネルギープログラム。
【手続補正書】
【提出日】平成24年7月23日(2012.7.23)
【手続補正１】
【補正対象書類名】特許請求の範囲
【補正対象項目名】全文
【補正方法】変更
【補正の内容】
【特許請求の範囲】
【請求項１】
建物内の複数の区画のそれぞれの区画に設けられた複数の接続機器の消費エネルギーを制御する省エネルギー装置であって、
前記複数の区画における総消費エネルギーの目標値を記憶する目標値記憶部と、
前記複数の区画における総消費エネルギーの実測値を取得する実測値取得部と、
前記実測値から前記目標値を引いて差分値を算出する差分値算出部と、
前記複数の区画における前記複数の接続機器を制御する手順を定めた、前記総消費エネルギーが異なる複数のテンプレートを記憶するテンプレート記憶部と、
前記複数のテンプレートから前記複数の区画における前記複数の接続機器の運転制御に用いる実行テンプレートを選定し、前記実行テンプレートに従って、前記複数の区画の前記複数の接続機器の運転を制御する運転制御部と
を備え、
前記運転制御部は、前記差分値が予め定められた第１差分値よりも大きくなると、前記複数の区画のうち不快度が他の区画よりも高い第１の区画における消費エネルギーを増加させるべく前記実行テンプレートを再選定する省エネルギー装置。
【請求項２】
前記それぞれの区画の区画種別を記憶する区画種別記憶部をさらに備え、
前記差分値が予め定められた値よりも大きくなると、前記区画種別、及び、前記それぞれの区画における前記複数の接続機器の節電優先度に基づいて、前記実行テンプレートを再選定する請求項１に記載の省エネルギー装置。
【請求項３】
前記運転制御部は、前記区画種別に基づいて第１の区画の消費エネルギーを低減するべく前記実行テンプレートを選定した後に予め定められた時間が経過すると、前記第１の区画と異なる第２の区画の消費エネルギーを低減するべく前記実行テンプレートを再選定する請求項２に記載の省エネルギー装置。
【請求項４】
前記運転制御部は、前記第１の区画における不快度と前記第２の区画における不快度との差が予め定められた値よりも大きくなると、前記差を小さくするべく前記実行テンプレートを再選定する請求項３に記載の省エネルギー装置。
【請求項５】
前記テンプレート記憶部は、空調機器の使用を優先する空調優先テンプレートと照明機器の使用を優先する照明優先テンプレートとを記憶し、
前記運転制御部は、時刻に応じて、前記空調優先テンプレートと前記空調優先テンプレートのいずれを選定するかを決定する請求項１から４のいずれか一項に記載の省エネルギー装置。
【請求項６】
前記それぞれの区画の予約時間を記憶する予約時間記憶部と、
人の存在の有無を示す在室状態信号を取得する状態取得部と
をさらに備え、
前記運転制御部は、前記予約時間を過ぎてから前記差分値の大きさに基づいて定められる時間が経過しても前記在室状態信号が前記人の存在を示さない場合に、前記実行テンプレートを再選定する請求項１から４のいずれか一項に記載の省エネルギー装置。
【請求項７】
建物内の複数の区画のそれぞれの区画に設けられた複数の接続機器の消費エネルギーを制御する省エネルギーシステムであって、
前記それぞれの区画の前記複数の接続機器を制御する機器制御端末と、
前記機器制御端末に前記複数の接続機器を制御させる手順を定めた複数のテンプレートを保持するサーバーと
を備え、
前記サーバーは、
前記複数の区画における総消費エネルギーの目標値を記憶する目標値記憶部と、
前記複数の区画における総消費エネルギーの実測値を前記機器制御端末から取得する実測値取得部と、
前記目標値から前記実測値を引いて差分値を算出する差分値算出部と、
前記複数の区画における前記複数の接続機器を制御する手順を定めた、前記総消費エネルギーが異なる複数のテンプレートを記憶するテンプレート記憶部と、
前記複数のテンプレートから前記複数の区画における前記複数の接続機器の運転制御に用いる実行テンプレートを選定し、前記実行テンプレートに従って、前記複数の区画の前記複数の接続機器の運転を制御する運転制御部と
を備え、
前記運転制御部は、前記差分値が予め定められた値よりも大きくなると、第１差分値よりも大きくなると、前記複数の区画のうち不快度が比較的高い第１の区画における消費エネルギーを増加させるべく前記実行テンプレートを再選定する省エネルギーシステム。
【請求項８】
前記サーバーは、前記それぞれの区画の区画種別を記憶する区画種別記憶部をさらに備え、
前記差分値が予め定められた値よりも大きくなると、前記区画種別、及び、前記それぞれの区画における前記複数の接続機器の節電優先度に基づいて、前記実行テンプレートを再選定する請求項７に記載の省エネルギーシステム。
【請求項９】
コンピュータに建物内の複数の区画のそれぞれの区画に設けられた複数の接続機器の消費エネルギーを制御させるための省エネルギープログラムであって、
前記コンピュータに、
前記複数の区画における総消費エネルギーの目標値を目標値記憶部に格納させ、
前記複数の区画における総消費エネルギーの実測値を取得させ、
前記目標値から前記実測値を減算して差分値を算出させ、
前記複数の区画における前記複数の接続機器を制御する手順を定めた、前記総消費エネルギーが異なる複数のテンプレートをテンプレート記憶部に格納させ、
前記複数のテンプレートから前記複数の区画における前記複数の接続機器の運転制御に用いる実行テンプレートを選定させ、前記実行テンプレートに従って、前記複数の区画の前記複数の接続機器の運転を制御させ、前記差分値が予め定められた値よりも大きくなると、第１差分値よりも大きくなると、前記複数の区画のうち不快度が比較的高い第１の区画における消費エネルギーを増加させるべく前記実行テンプレートを再選定させるための省エネルギープログラム。
【請求項１０】
前記コンピュータに、さらに前記それぞれの区画の区画種別を記憶させ、
前記差分値が予め定められた値よりも大きくなると、前記区画種別、及び、前記それぞれの区画における前記複数の接続機器の節電優先度に基づいて、前記実行テンプレートを再選定させる請求項９に記載の省エネルギープログラム。
【手続補正書】
【提出日】平成24年8月28日(2012.8.28)
【手続補正１】
【補正対象書類名】特許請求の範囲
【補正対象項目名】全文
【補正方法】変更
【補正の内容】
【特許請求の範囲】
【請求項１】
建物内の複数の区画のそれぞれの区画に設けられた複数の接続機器の消費エネルギーを制御する省エネルギー装置であって、
前記複数の区画における総消費エネルギーの目標値を記憶する目標値記憶部と、
前記複数の区画における総消費エネルギーの実測値を取得する実測値取得部と、
前記実測値から前記目標値を引いて差分値を算出する差分値算出部と、
前記複数の区画における前記複数の接続機器を制御する手順を定めた、前記総消費エネルギーが異なる複数のテンプレートを記憶するテンプレート記憶部と、
前記複数のテンプレートから前記複数の区画における前記複数の接続機器の運転制御に用いる実行テンプレートを選定し、前記実行テンプレートに従って、前記複数の区画の前記複数の接続機器の運転を制御する運転制御部と
を備え、
前記運転制御部は、前記差分値が予め定められた値よりも大きくなると、第１の区画における前記消費エネルギーを低減するべく前記実行テンプレートを再選定し、前記実行テンプレートを再選定してから前記第１の区画における不快度及び前記第１の区画と異なる第２の区画における不快度に対応づけて定められた時間が経過すると、前記第２の区画における前記消費エネルギーを低減するべく前記実行テンプレートを再選定する省エネルギー装置。
【請求項２】
前記それぞれの区画の区画種別を記憶する区画種別記憶部をさらに備え、
前記差分値が予め定められた値よりも大きくなると、前記区画種別、及び、前記それぞれの区画における前記複数の接続機器の節電優先度に基づいて、前記実行テンプレートを再選定する請求項１に記載の省エネルギー装置。
【請求項３】
前記運転制御部は、前記第１の区画における不快度と前記第２の区画における不快度との差が予め定められた値よりも大きくなると、前記差を小さくするべく前記実行テンプレートを再選定する請求項２に記載の省エネルギー装置。
【請求項４】
前記テンプレート記憶部は、空調機器の使用を優先する空調優先テンプレートと照明機器の使用を優先する照明優先テンプレートとを記憶し、
前記運転制御部は、時刻に応じて、前記空調優先テンプレートと前記空調優先テンプレートのいずれを選定するかを決定する請求項１から３のいずれか一項に記載の省エネルギー装置。
【請求項５】
前記それぞれの区画の予約時間を記憶する予約時間記憶部と、
人の存在の有無を示す在室状態信号を取得する状態取得部と
をさらに備え、
前記運転制御部は、前記予約時間を過ぎてから前記差分値の大きさに基づいて定められる時間が経過しても前記在室状態信号が前記人の存在を示さない場合に、前記実行テンプレートを再選定する請求項１から３のいずれか一項に記載の省エネルギー装置。
【請求項６】
建物内の複数の区画のそれぞれの区画に設けられた複数の接続機器の消費エネルギーを制御する省エネルギーシステムであって、
前記それぞれの区画の前記複数の接続機器を制御する機器制御端末と、
前記機器制御端末に前記複数の接続機器を制御させる手順を定めた複数のテンプレートを保持するサーバーと
を備え、
前記サーバーは、
前記複数の区画における総消費エネルギーの目標値を記憶する目標値記憶部と、
前記複数の区画における総消費エネルギーの実測値を前記機器制御端末から取得する実測値取得部と、
前記目標値から前記実測値を引いて差分値を算出する差分値算出部と、
前記複数の区画における前記複数の接続機器を制御する手順を定めた、前記総消費エネルギーが異なる複数のテンプレートを記憶するテンプレート記憶部と、
前記複数のテンプレートから前記複数の区画における前記複数の接続機器の運転制御に用いる実行テンプレートを選定し、前記実行テンプレートに従って、前記複数の区画の前記複数の接続機器の運転を制御する運転制御部と
を備え、
前記運転制御部は、前記差分値が予め定められた値よりも大きくなると、第１の区画における前記消費エネルギーを低減するべく前記実行テンプレートを再選定し、前記実行テンプレートを再選定してから前記第１の区画における不快度及び前記第１の区画と異なる第２の区画における不快度に対応づけて定められた時間が経過すると、前記第２の区画における前記消費エネルギーを低減するべく前記実行テンプレートを再選定する省エネルギーシステム。
【請求項７】
前記サーバーは、前記それぞれの区画の区画種別を記憶する区画種別記憶部をさらに備え、
前記差分値が予め定められた値よりも大きくなると、前記区画種別、及び、前記それぞれの区画における前記複数の接続機器の節電優先度に基づいて、前記実行テンプレートを再選定する請求項６に記載の省エネルギーシステム。
【請求項８】
コンピュータに建物内の複数の区画のそれぞれの区画に設けられた複数の接続機器の消費エネルギーを制御させるための省エネルギープログラムであって、
前記コンピュータに、
前記複数の区画における総消費エネルギーの目標値を目標値記憶部に格納させ、
前記複数の区画における総消費エネルギーの実測値を取得させ、
前記目標値から前記実測値を減算して差分値を算出させ、
前記複数の区画における前記複数の接続機器を制御する手順を定めた、前記総消費エネルギーが異なる複数のテンプレートをテンプレート記憶部に格納させ、
前記複数のテンプレートから前記複数の区画における前記複数の接続機器の運転制御に用いる実行テンプレートを選定させ、前記実行テンプレートに従って、前記複数の区画の前記複数の接続機器の運転を制御させ、前記差分値が予め定められた値よりも大きくなると、第１の区画における前記消費エネルギーを低減するべく前記実行テンプレートを再選定させ、前記実行テンプレートを再選定させてから前記第１の区画における不快度及び前記第１の区画と異なる第２の区画における不快度に対応づけて定められた時間が経過すると、前記第２の区画における前記消費エネルギーを低減するべく前記実行テンプレートを再選定させるための省エネルギープログラム。
【請求項９】
前記コンピュータに、さらに前記それぞれの区画の区画種別を記憶させ、
前記差分値が予め定められた値よりも大きくなると、前記区画種別、及び、前記それぞれの区画における前記複数の接続機器の節電優先度に基づいて、前記実行テンプレートを再選定させる請求項８に記載の省エネルギープログラム。